【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータのコード化された表現を形成するビットのシーケンスを含むビットストリームからシンタックス要素を取得することと、
ここにおいて、前記ビットストリームから前記シンタックス要素を取得することは、（ｉ）現在のブロックが残差データへの変換の適用を伴わずに非可逆コード化を使用して生成され、（ｉｉ）残差差動パルス符号変調（ＤＰＣＭ）技法が使用されるイントラ予測モードを使用して前記現在のブロックがイントラ予測されることに基づいて、記号データ隠匿が前記現在のブロックに対して無効にされると決定することを備える、
前記ビットストリームから取得された前記シンタックス要素に少なくとも部分的に基づいて前記ビデオデータのピクチャを再構成することとを備える、方法。
【請求項２】
前記ビットストリームから前記シンタックス要素を取得することがさらに、
記号データ隠匿が前記現在のブロックに対して無効にされるとき、前記ビットストリームから、前記現在のブロック中の各々のそれぞれの有意な残差値に対して、前記それぞれの有意な残差値が正か負かを示すシンタックス要素を取得することと、
記号データ隠匿が前記現在のブロックに対して無効にされないとき、前記ビットストリームから、前記現在のブロック中の有意な残差値の値が正か負かを示すシンタックス要素を取得しないこととを備える、請求項１に記載の方法。
【請求項３】
前記ビットストリームから前記シンタックス要素を取得することが、前記ビットストリームから、記号データ隠匿が前記現在のブロックに対して有効にされるという明示的な指示を取得することを備える、請求項１に記載の方法。
【請求項４】
記号データ隠匿が前記現在のブロックに対して無効にされると決定することが、
前記現在のブロックが前記残差データへの前記変換の適用を伴わずにコード化され、
前記現在のブロックがＤＣイントラ予測モード又は平面的イントラ予測モードを使用してイントラコード化されることに基づいて、
記号データ隠匿が前記現在のブロックに対して無効にされると決定することを備える、請求項１に記載の方法。
【請求項５】
前記ピクチャを再構成することが、
前記現在のブロックを含む残差値のブロックを生成することを備え、前記ブロックが変換スキップブロックであり、
Ｍが前記ブロックの高さでありＮが前記ブロックの幅であるとして、０≦ｉ≦（Ｍ−１）及び０≦ｊ≦（Ｎ−１）に対して、前記方法は、
前記ブロック中の残差値ｒi,jに対応する再構成される残差値Ｑ（ｒi,j）を計算することと、
ここにおいて、前記ブロックが垂直イントラ予測モードを使用してコード化される場合、Ｑ（ｒi,j）は、
【数１】
2016518042.tif 000001
前記ブロックが水平イントラ予測モードを使用してコード化される場合、Ｑ（ｒi,j）は、
【数２】
2016518042.tif 000002
として定義され、
Ｑ（ｒi,j-1）は、前記残差値ｒi,jの一行上の残差値に対応する再構成された残差値である、
サンプル値を再構成するために、前記再構成された残差値Ｑ（ｒi,j）を予測値に加算することとを備える、請求項１に記載の方法。
【請求項６】
ビデオデータを符号化する方法であって、
前記ビデオデータのコード化された表現を形成するビットのシーケンスを含むビットストリームを生成することと、
ここにおいて、前記ビットストリームを生成することは、（ｉ）現在のブロックが残差データへの変換の適用を伴わずに非可逆コード化を使用して生成され、（ｉｉ）残差差動パルス符号変調（ＤＰＣＭ）技法が使用されるイントラ予測モードを使用して前記現在のブロックがイントラ予測されることに基づいて、記号データ隠匿が前記現在のブロックに対して無効にされると決定することを備える、
前記ビットストリームを出力することとを備える、方法。
【請求項７】
前記ビットストリームを生成することが、
記号データ隠匿が前記現在のブロックに対して無効にされるとき、前記ビットストリームにおいて、前記現在のブロック中の各々のそれぞれの有意な残差値に対して、前記それぞれの有意な残差値が正か負かを示すシンタックス要素を信号伝達することと、
記号データ隠匿が前記現在のブロックに対して無効にされないとき、前記ビットストリームにおいて、前記現在のブロック中の有意な残差値の値が正か負かを示すシンタックス要素を信号伝達しないこととを備える、請求項６に記載の方法。
【請求項８】
前記ビットストリームを生成することが、前記ビットストリームにおいて、記号データ隠匿が前記現在のブロックに対して有効にされるという明示的な指示を信号伝達することを備える、請求項６に記載の方法。
【請求項９】
記号データ隠匿が前記現在のブロックに対して無効にされると決定することが、
前記現在のブロックが前記残差データへの前記変換の適用を伴わずにコード化され、
前記現在のブロックがＤＣイントラ予測モード又は平面的イントラ予測モードを使用してイントラコード化されることに基づいて、
記号データ隠匿が前記現在のブロックに対して無効にされると決定することを備える、請求項６に記載の方法。
【請求項１０】
残差ＤＰＣＭが適用される前記イントラ予測モードが、水平イントラ予測モード又は垂直イントラ予測モードである、請求項１又は請求項６に記載の方法。
【請求項１１】
Ｍが前記現在のブロックを含むブロックの高さでありＮが前記ブロックの幅であり、前記ブロックが変換スキップブロックであるとして、０≦ｉ≦（Ｍ−１）及び０≦ｊ≦（Ｎ−１）に対して、
【数３】
2016518042.tif 000003
ここにおいて、前記ブロックが垂直イントラ予測モードを使用してコード化される場合、
【数４】
2016518042.tif 000004
として定義され、
Ｑ（ｒ(i-1),j）は、前記残差値ｒi,jの一列左の残差値ｒi-1,jに対応する再構成された残差値を示し、
前記ブロックが水平イントラ予測モードを使用してコード化される場合、
【数５】
2016518042.tif 000005
として定義され、
Ｑ（ｒi,(j-1)）は、前記残差値ｒi,jの一行上の残差値ｒi,j-1に対応する再構成された残差値を示す、
【数６】
2016518042.tif 000006
請求項６に記載の方法。
【請求項１２】
ビデオデータのコード化された表現を形成するビットのシーケンスを含むビットストリームからシンタックス要素を取得するための手段と、
ここにおいて、前記ビットストリームから前記シンタックス要素を取得することは、（ｉ）現在のブロックが残差データへの変換の適用を伴わずに非可逆コード化を使用して生成され、（ｉｉ）残差差動パルス符号変調（ＤＰＣＭ）技法が使用されるイントラ予測モードを使用して前記現在のブロックがイントラ予測されることに基づいて、記号データ隠匿が前記現在のブロックに対して無効にされると決定することを備える、
前記ビットストリームから取得された前記シンタックス要素に少なくとも部分的に基づいて前記ビデオデータのピクチャを再構成するための手段とを備える、ビデオ復号装置。
【請求項１３】
ビデオデータのコード化された表現を形成するビットのシーケンスを含むビットストリームを生成するための手段と、
ここにおいて、前記ビットストリームを生成することは、（ｉ）現在のブロックが残差データへの変換の適用を伴わずに非可逆コード化を使用して生成され、（ｉｉ）残差差動パルス符号変調（ＤＰＣＭ）技法が使用されるイントラ予測モードを使用して前記現在のブロックがイントラ予測されることに基づいて、記号データ隠匿が前記現在のブロックに対して無効にされると決定することを備える、
前記ビットストリームを出力するための手段とを備える、ビデオ符号化装置。
【請求項１４】
命令を記憶したコンピュータ可読データ記憶媒体であって、前記命令が、実行されると、１つ以上のプロセッサに、請求項１−１１のうちのいずれか一項の前記方法を実行させる、コンピュータ可読データ記憶媒体。
【請求項１５】
集積回路と、
マイクロプロセッサと、
前記１つ以上のプロセッサを含むワイヤレス通信デバイスと、
前記現在のブロックを含む復号ピクチャを表示するように構成された表示器と、
前記現在のブロックを含むピクチャを撮影するように構成されたカメラと
のうちの少なくとも１つを備える、請求項１２又は請求項１３のビデオコード化装置。